(57)【要約】【課題】結露対策のためソフトテープの使用量を抑制できるようにした冷蔵庫を提供する。【解決手段】本実施形態に係る冷蔵庫は、断熱箱体の内面を構成する内箱と、前記内箱の裏面に配置される線状の線状部材と、前記内箱の裏面と前記線状部材との間に設けられる熱絶縁部材と、を備えている。【選択図】図１
2019211128.tif 000002
【特許請求の範囲】
【請求項１】
断熱箱体の内面を構成する内箱と、
前記内箱の裏面に配置される線状の線状部材と、
前記内箱の裏面と前記線状部材との間に設けられる熱絶縁部材と、
を備える冷蔵庫。
【請求項２】
前記熱絶縁部材は、前記線状部材を支持する支持部を備える請求項１に記載の冷蔵庫。
【請求項３】
前記支持部は、当該支持部における他の部位よりも大きい寸法を有する拡大部を有する請求項２に記載の冷蔵庫。
【請求項４】
前記熱絶縁部材は、前記支持部以外の部分の面積が前記支持部の面積よりも大きい請求項２または３に記載の冷蔵庫。
【請求項５】
前記支持部は、前記熱絶縁部材の一端部と他端部との間において傾斜している請求項２から４の何れか１項に記載の冷蔵庫。
【請求項６】
前記断熱箱体の内部に、冷凍温度帯に維持される冷凍室を備え、
前記熱絶縁部材は、前記内箱の裏面のうち前記冷凍室に対応する部分に備えられている請求項１から５の何れか１項に記載の冷蔵庫。
【請求項７】
前記熱絶縁部材は、当該熱絶縁部材を貫通する貫通孔を有する請求項１から６の何れか１項に記載の冷蔵庫。
【請求項８】
前記熱絶縁部材は、当該熱絶縁部材を前記内箱の裏面において位置決めする位置決め部を有する請求項１から７の何れか１項に記載の冷蔵庫。
【請求項９】
前記内箱の裏面に凹凸部が設けられ、
前記位置決め部は、前記内箱の凹凸部に係合する凹凸部により構成され、
前記内箱の凹凸部に前記熱絶縁部材の凹凸部が係合した状態において、前記内箱の凹凸部と前記熱絶縁部材の凹凸部とが対向する部分の少なくとも一部に、ウレタンが流通可能な隙間が形成される請求項８に記載の冷蔵庫。
【請求項１０】
前記熱絶縁部材は、前記内箱の角部を覆う形状である請求項１から９の何れか１項に記載の冷蔵庫。
【請求項１１】
前記線状部材を支持する前記支持部を覆うカバー部材をさらに備える請求項２に記載の冷蔵庫。
【請求項１２】
前記熱絶縁部材は、前記支持部に隣接する位置に平坦部を有する請求項１１に記載の冷蔵庫。
【発明の詳細な説明】
【技術分野】
【０００１】
本実施形態は、冷蔵庫に関する。
【背景技術】
【０００２】
例えば特許文献１に開示されているように、冷蔵庫においては、断熱箱体の内面を構成する内箱の裏面に、線状の線状部材、例えば、冷凍サイクルを構成するキャピラリーチューブやサクションパイプなどの束線が配置されている。
【先行技術文献】
【特許文献】
【０００３】
【特許文献１】特開２０１４−００６０４０号公報
【発明の概要】
【発明が解決しようとする課題】
【０００４】
ところで、上述した束線には、結露対策のためソフトテープを巻き付けるようにしている。しかしながら、結露を十分に抑制するためには、結露が発生しやすい部分に複数枚のソフトテープを巻き付けなければならない。そのため、束線にソフトテープを巻き付ける作業の負担が大きく、また、使用するソフトテープの量も多いことから製造コストが高くなるという課題も生じている。
【０００５】
そこで、本実施形態は、結露対策のためソフトテープの使用量を抑制できるようにした冷蔵庫を提供する。
【課題を解決するための手段】
【０００６】
本実施形態に係る冷蔵庫は、断熱箱体の内面を構成する内箱と、前記内箱の裏面に配置される線状の線状部材と、前記内箱の裏面と前記線状部材との間に設けられる熱絶縁部材と、を備える。
【図面の簡単な説明】
【０００７】
【図１】本実施形態に係る冷蔵庫の構成例を概略的に示す横断平面図
【図２】本実施形態に係る冷蔵庫の要部の構成例を概略的に示す内箱の背面図（その１）
【図３】本実施形態に係る第１の熱絶縁部材の構成例を概略的に示す平面図
【図４】本実施形態に係る第１の熱絶縁部材の構成例を概略的に示す斜視図（その１）
【図５】本実施形態に係る第１の熱絶縁部材の構成例を概略的に示す斜視図（その２）
【図６】本実施形態に係る熱絶縁部材と内箱との係合部分の構成例を概略的に示す断面図
【図７】本実施形態に係る第２の熱絶縁部材の構成例を概略的に示す平面図
【図８】本実施形態に係る第２の熱絶縁部材の構成例を概略的に示す斜視図（その１）
【図９】本実施形態に係る第２の熱絶縁部材の構成例を概略的に示す斜視図（その２）
【図１０】本実施形態に係る冷蔵庫の要部の構成例を概略的に示す内箱の背面図（その２）
【図１１】本実施形態に係る熱絶縁部材が内箱に取り付けられた部分の状態例を概略的に示す縦断側面図
【図１２】変形例に係る冷蔵庫の要部の構成例を概略的に示す内箱の背面図
【図１３】変形例に係る熱絶縁部材の支持溝の構成例を概略的に示す断面図
【図１４】変形例に係る熱絶縁部材の支持溝の構成例を概略的に示す図
【発明を実施するための形態】
【０００８】
以下、冷蔵庫に係る一実施形態について図面を参照しながら説明する。図１に例示する冷蔵庫１０は、その外郭を構成する断熱箱体１１の内部に複数の貯蔵室を備えている。図１は、複数の貯蔵室のうち、特に、冷凍温度帯に維持される冷凍室１２における断熱箱体１１の横断平面図を示している。断熱箱体１１は、鋼板製の外箱１３と合成樹脂製の内箱１４との間に、真空断熱パネル１５、発泡ウレタン１６などの断熱材を備えた構成となっている。外箱１３は、断熱箱体１１の外面を構成し、内箱１４は、断熱箱体１１の内面を構成している。
【０００９】
断熱箱体１１の内部において内箱１４の裏面、この場合、後面には、束線１７Ｌ，１７Ｒが配置されている。束線１７Ｌ，１７Ｒは、何れも線状部材の一例であり、例えば、冷気を生成するための周知の冷凍サイクルを構成するキャピラリーチューブやサクションパイプ、冷蔵庫１０の動作全般を制御する図示しない制御装置の電源ケーブルや各種のセンサ類との接続ケーブルなどの複数の線状の部材を束ねたものである。本実施形態では、束線１７Ｌ，１７Ｒは、何れも内箱１４の裏面側、この場合、後面側において概ね冷蔵庫１０の上下方向に延びるようにして縦方向に配置されている。また、この場合、束線１７Ｌは、内箱１４の後面の左側寄りに配置されており、束線１７Ｒは、内箱１４の後面の右側寄りに配置されている。
【００１０】
本実施形態では、内箱１４の裏面、この場合、後面と束線１７Ｌとの間には熱絶縁部材２１Ｌが設けられ、内箱１４の裏面、この場合、後面と束線１７Ｒとの間には熱絶縁部材２１Ｒが設けられている。図２にも例示するように、この場合、熱絶縁部材２１Ｌ，２１Ｒは、内箱１４の後面のうち冷凍室１２に対応する部分から後方に突出するほぼ矩形状のボックス部２２の左右の角部にそれぞれ取り付けられている。即ち、熱絶縁部材２１Ｌ，２１Ｒは、内箱１４の後面のうち冷凍室１２に対応する部分において、左右に分かれて備えられている。また、これら熱絶縁部材２１Ｌ，２１Ｒは、例えば発泡スチロール（ＥＰＳ：Expanded Polystyrene）などの少なくとも熱絶縁性を有する合成樹脂材料により構成されている。
【００１１】
熱絶縁部材２１Ｌには支持溝２２Ｌが設けられており、束線１７Ｌは、この支持溝２２Ｌに嵌め込まれることにより熱絶縁部材２１Ｌに支持されている。また、熱絶縁部材２１Ｒには支持溝２２Ｒが設けられており、束線１７Ｒは、この支持溝２２Ｒに嵌め込まれることにより熱絶縁部材２１Ｒに支持されている。
【００１２】
次に、これら熱絶縁部材２１Ｌ，２１Ｒの構成例について、さらに詳細に説明する。なお、以下の説明においては、熱絶縁部材２１Ｌ，２１Ｒが内箱１４のボックス部２２に取り付けられた状態において、冷蔵庫１０の上側となる部分を熱絶縁部材２１Ｌ，２１Ｒの上側、冷蔵庫１０の下側となる部分を熱絶縁部材２１Ｌ，２１Ｒの下側、冷蔵庫１０の左側となる部分を熱絶縁部材２１Ｌ，２１Ｒの左側、冷蔵庫１０の右側となる部分を熱絶縁部材２１Ｌ，２１Ｒの右側と定義する。
【００１３】
まず、熱絶縁部材２１Ｌの構成例について説明する。図３，図４，図５に例示するように、熱絶縁部材２１Ｌは、ほぼ矩形板状の第１部分３１と、この第１部分３１の左右方向の一端部、この場合、左端部から前方に延出する第２部分３２とを一体的に設けた構成となっている。熱絶縁部材２１Ｌは、第１部分３１および第２部分３２によって内箱１４のボックス部２２の角部、この場合、左端側の角部を覆うような形状となっている。なお、内箱１４のボックス部２２の左端側の角部は、面取りが施されており、いわゆるＣ面が形成されている。
【００１４】
第１部分３１は、全体的に平面状に設けられており、その一部に支持溝２２Ｌを備えている。支持溝２２Ｌは、支持部の一例であり、第１部分３１の上下方向の一端部、この場合、上端部と上下方向の他端部、この場合、下端部との間において、左側から右側に向かって下降傾斜するように直線状に延びている。また、支持溝２２Ｌの上端部および下端部には、それぞれ拡大部２２Ｌａ，２２Ｌｂが設けられている。
【００１５】
拡大部２２Ｌａは、全体として束線１７Ｌの径寸法よりも大きい幅寸法を有しており、且つ、下方から上方に向かって徐々に幅寸法が大きくなるように広がった形状をなしている。拡大部２２Ｌｂは、全体として束線１７Ｌの径寸法よりも大きい幅寸法を有しており、且つ、上方から下方に向かって徐々に幅寸法が大きくなるように広がった形状をなしている。また、拡大部２２Ｌａ，２２Ｌｂは、支持溝２２Ｌにおける他の部位、この場合、拡大部２２Ｌａと拡大部２２Ｌｂとの間における直線状の部位の幅寸法よりも大きい幅寸法を有する。即ち、支持溝２２Ｌは、その両端部の拡大部２２Ｌａ，２２Ｌｂに挟まれる中央部の幅寸法が束線１７Ｌの径寸法よりも大きく、その中央部よりもさらに拡大部２２Ｌａ，２２Ｌｂの幅寸法が大きい構成となっている。熱絶縁部材２１Ｌは、第１部分３１において支持溝２２Ｌに隣接する部分に平坦部３３を有している。熱絶縁部材２１Ｌは、支持溝２２Ｌ以外の部分である平坦部３３の面積が支持溝２２Ｌの面積よりも大きくなった構成となっている。
【００１６】
また、熱絶縁部材２１Ｌは、第１部分３１の平坦部３３に複数の貫通孔３４，３５を備えている。このうち、貫通孔３４は、ほぼ円形状に開口しており、第１部分３１の上下方向の両端部寄り、つまり、上端部寄りの部分および下端部寄りの部分にそれぞれ設けられている。この場合、第１部分３１の上端部寄りには３つの貫通孔３４、第１部分３１の下端部寄りには２つの貫通孔３４が設けられており、つまり、第１部分３１の上端部側と下端部側とで貫通孔３４の数が異なる構成となっている。また、第１部分３１の上端部側に設けられている貫通孔３４と第１部分３１の下端部側に設けられている貫通孔３４とが支持溝２２Ｌによって分断された構成となっている。
【００１７】
一方、貫通孔３５は、上下方向に長い長尺なほぼ楕円形状に開口しており、第１部分３１の上下方向のほぼ中央部に設けられている。また、貫通孔３５は、この場合、２つ設けられており、一方の貫通孔３５は上下方向に沿って設けられており、他方の貫通孔３５は支持溝２２Ｌに沿うようにして傾斜して設けられている。また、２つの貫通孔３５は、支持溝２２Ｌによって分断された構成となっている。以上の通り、熱絶縁部材２１Ｌは、支持溝２２Ｌを挟む２つの領域に貫通孔３４，３５が分散して配置された構成となっている。
【００１８】
また、第１部分３１の内面側、つまり、内箱１４のボックス部２２に取り付けられた状態で当該ボックス部２２の後面に対向する面には、上下方向位置決め部３６および左右方向位置決め部３７が設けられている。上下方向位置決め部３６は、第１部分３１の上下方向のほぼ中央部において左右方向に延びる段差を形成する段部により構成されている。上下方向位置決め部３６の段差部分には、貫通孔３５が跨るようにして設けられている。一方、図２に例示するように、内箱１４のボックス部２２の後面には、後方に向かって突出し、且つ、左右方向に延びる突条部２２ａが設けられている。上下方向位置決め部３６は、内箱１４の突条部２２ａの上端面に上方から係合し、これにより、第１部分３１、ひいては、熱絶縁部材２１Ｌ全体の上下方向における位置決めを行う。
【００１９】
左右方向位置決め部３７は、上下方向に延びる複数、この場合、２つの突条部３７ｂを有する凹凸部３７ａにより構成されている。突条部３７ｂは、上下方向位置決め部３６を形成する段差の壁面から離間し、且つ、当該壁面に対向するようにして設けられている。また、２つの突条部３７ｂの一方、この場合、第２部分３２とは反対側の突条部３７ｂは、第１部分３１において支持溝２２Ｌが設けられている部分の反対側に位置している。一方、図２に例示するように、内箱１４のボックス部２２の後面には、上下方向に延びる複数の溝２２ｄを有する凹凸部２２ｃが設けられている。熱絶縁部材２１Ｌは、内箱１４の凹凸部２２ｃに左右方向位置決め部３７の凹凸部３７ａを係合させた状態で内箱１４のボックス部２２の後面に取り付けられる。これにより、左右方向位置決め部３７は、第１部分３１、ひいては、熱絶縁部材２１Ｌ全体の左右方向における位置決めを行う。
【００２０】
また、図６に例示するように、内箱１４の凹凸部２２ｃに熱絶縁部材２１Ｌの凹凸部３７ａが係合した状態において、内箱１４の凹凸部２２ｃと熱絶縁部材２１Ｌの凹凸部３７ａとが対向する部分の少なくとも一部には、発泡ウレタンが流通可能な隙間Ｇが形成されるようになっている。また、この隙間Ｇは、第１部分３１に設けられている貫通孔３４，３５の少なくとも何れか１つ、この場合、第１部分３１の下端部に設けられている貫通孔３４に対向するようになっている。
【００２１】
また、上述した通り、この場合、貫通孔３５が上下方向位置決め部３６の段差を跨ぐようにして設けられているため、当該貫通孔３５から流入する発泡ウレタンが上下方向位置決め部３６の段差を構成する壁面に沿って流れやすくなる。さらに、左右方向位置決め部３７の突条部３７ｂが上下方向位置決め部３６の段差を構成する壁面から離間し、且つ、当該壁面に対向するようにして設けられているので、貫通孔３５から当該壁面に沿って流れる発泡ウレタンが左右方向位置決め部３７側にも流れやすくなる。このように発泡ウレタンを流しやすくできる構成は、熱絶縁部材に限らず、冷蔵庫１０に備えられる他の特別部材にも適用することができる。特別部材としては、例えば、内箱１４の裏面とは異なる部位を覆う覆い部材、束線１７Ｌ，１７Ｒ以外の部材を支持する支持部材、内箱１４の裏面と束線１７Ｌ，１７Ｒとの間以外の部分を熱絶縁する熱絶縁部材、冷蔵庫１０の電気的構成部分を電気的に絶縁する電気絶縁部材など、冷蔵庫１０に備えられる種々の部材が考えられる。
【００２２】
第２部分３２は、上下方向から見た断面がほぼ三角形状となるように形成されている。また、第２部分３２は、上下方向の寸法が第１部分３１の上下方向の寸法よりも短くなっている。内箱１４のボックス部２２に熱絶縁部材２１Ｌが取り付けられた状態において、第２部分３２の第１面部３２ａは、内箱１４のボックス部２２の左端面に当接する。これによっても、第２部分３２、ひいては、熱絶縁部材２１Ｌ全体の左右方向の位置決めが行われる。また、内箱１４のボックス部２２に熱絶縁部材２１Ｌが取り付けられた状態において、第２部分３２の第２面部３２ｂは、内箱１４の後面のうちボックス部２２の左側方部分に当接する。これにより、第２部分３２、ひいては、絶絶縁部材２１Ｌ全体の前後方向の位置決めが行われる。
【００２３】
また、第２部分３２の外面は、冷蔵庫１０の後側から前側に向かって徐々に拡開するように傾斜する傾斜面３２ｃとなっている。そして、この傾斜面３２ｃには、さらに外方に延出する延出する延出部３２ｄが設けられている。この延出部３２ｄには、傾斜状に切り欠かれた切欠部３２ｅが設けられている。図２に例示するように、内箱１４のボックス部２２に熱絶縁部材２１Ｌが取り付けられた状態において、第２部分３２の切欠部３２ｅは、内箱１４の後面のうちボックス部２２の左側方部分に設けられている傾斜面１４ａに下方から当接する。これによっても、第２部分３２、ひいては、熱絶縁部材２１Ｌ全体の上下方向の位置決めが行われる。以上の通り、第２部分３２は、内箱１４の裏面側、この場合、後面側に取り付けられた熱絶縁部材２１Ｌの位置決め部としての機能を有するものであり、内箱１４に対し熱絶縁部材２１Ｌを安定した状態で取り付ける効果を発揮する。
【００２４】
次に、熱絶縁部材２１Ｒの構成例について説明する。図７，図８，図９に例示するように、熱絶縁部材２１Ｒは、ほぼ直方体状の第１部分５１と、この第１部分５１の左右方向の一端部、この場合、右端部から前方に延出する第２部分５２とを一体的に設けた構成となっている。熱絶縁部材２１Ｒは、第１部分５１および第２部分５２によって内箱１４のボックス部２２の角部、この場合、右端側の角部を覆うような形状となっている。なお、内箱１４のボックス部２２の右端側の角部は、面取りが施されており、いわゆるＣ面が形成されている。
【００２５】
第１部分５１は、その一部、この場合、左右方向の中央部よりも若干左寄りの部分に支持溝２２Ｒを備えている。支持溝２２Ｒは、支持部の一例であり、第１部分５１の上下方向の一端部、この場合、上端部と上下方向の他端部、この場合、下端部との間において、上下方向に沿って直線状に延びている。また、支持溝２２Ｒの上端部および下端部には、それぞれ拡大部２２Ｒａ，２２Ｒｂが設けられている。
【００２６】
拡大部２２Ｒａは、全体として束線１７Ｒの径寸法よりも大きい幅寸法を有しており、且つ、下方から上方に向かって徐々に幅寸法が大きくなるように広がった形状をなしている。拡大部２２Ｒｂは、全体として束線１７Ｒの径寸法よりも大きい幅寸法を有しており、且つ、上方から下方に向かって徐々に幅寸法が大きくなるように広がった形状をなしている。また、拡大部２２Ｒａ，２２Ｒｂは、支持溝２２Ｒにおける他の部位、この場合、拡大部２２Ｒａと拡大部２２Ｒｂとの間における直線状の部位の幅寸法よりも大きい幅寸法を有する。即ち、支持溝２２Ｒは、その両端部の拡大部２２Ｒａ，２２Ｒｂに挟まれる中央部の幅寸法が束線１７Ｒの径寸法よりも大きく、その中央部よりもさらに拡大部２２Ｒａ，２２Ｒｂの幅寸法が大きい構成となっている。熱絶縁部材２１Ｒは、第１部分５１において支持溝２２Ｒに隣接する部分に平坦部５３を有している。熱絶縁部材２１Ｒは、支持溝２２Ｒ以外の部分である平坦部５３の面積が支持溝２２Ｒの面積よりも大きくなった構成となっている。
【００２７】
また、熱絶縁部材２１Ｒは、第１部分５１の平坦部５３に貫通孔を備えていない構成となっている。なお、熱絶縁部材２１Ｒは、第１部分５１を貫通する貫通孔を備える構成としてもよい。
【００２８】
また、第１部分５１の内面側、つまり、内箱１４のボックス部２２に取り付けられた状態で当該ボックス部２２の後面に対向する面には、上下方向位置決め部５６および左右方向位置決め部５７が設けられている。上下方向位置決め部５６および左右方向位置決め部５７は、何れも、傾斜面を含んで構成されている。具体的に説明すると、上下方向位置決め部５６は、第１部分３１の下端部に設けられた壁部により構成されている。上下方向位置決め部５６を構成する壁部は、概ね水平方向に広がり、且つ、左右方向位置決め部５７の下端部から下方に緩やかに傾斜している。図２に例示するように、上下方向位置決め部５６は、内箱１４の後面側においてボックス部２２の下端面に下方から係合し、これにより、第１部分５１、ひいては、熱絶縁部材２１Ｒ全体の上下方向における位置決めを行う。
【００２９】
左右方向位置決め部５７は、第１部分５１の内面側において冷蔵庫１０の後方から前方に向かって徐々に広がるように傾斜する傾斜面５７ａにより構成されている。左右方向位置決め部５７は、内箱１４の後面側においてボックス部２２の右端部のＣ面状の角部に右方から係合し、これにより、第１部分５１、ひいては、熱絶縁部材２１Ｒ全体の左右方向における位置決めを行う。
【００３０】
第２部分５２は、上下方向から見た断面がほぼ三角形状となるように形成されている。また、第２部分５２は、上下方向の寸法が第１部分５１の上下方向の寸法よりも短くなっている。内箱１４のボックス部２２に熱絶縁部材２１Ｒが取り付けられた状態において、第２部分５２の第１面部５２ａは、内箱１４のボックス部２２の右端面に当接する。これによっても、第２部分５２、ひいては、熱絶縁部材２１Ｒ全体の左右方向の位置決めが行われる。また、内箱１４のボックス部２２に熱絶縁部材２１Ｒが取り付けられた状態において、第２部分５２の第２面部５２ｂは、内箱１４の後面のうちボックス部２２の右側方部分に当接する。これにより、第２部分５２、ひいては、絶絶縁部材２１Ｒ全体の前後方向の位置決めが行われる。
【００３１】
また、第２部分５２の外面は、冷蔵庫１０の後側から前側に向かって徐々に拡開するように傾斜する傾斜面５２ｃとなっている。また、第２部分５２の上端面は、水平な水平面部となっている。図２に例示するように、内箱１４のボックス部２２に熱絶縁部材２１Ｒが取り付けられた状態において、第２部分５２の上端面は、内箱１４の後面のうちボックス部２２の右側方部分に設けられている水平面１４ｂに下方から当接する。これによっても、第２部分５２、ひいては、熱絶縁部材２１Ｒ全体の上下方向の位置決めが行われる。以上の通り、第２部分５２は、内箱１４の裏面側、この場合、後面側に取り付けられた熱絶縁部材２１Ｒの位置決め部としての機能を有するものであり、内箱１４に対し熱絶縁部材２１Ｒを安定した状態で取り付ける効果を発揮する。
【００３２】
上記のように熱絶縁部材２１Ｌ，２１Ｒが取り付けられた内箱１４の後面側において、束線１７Ｌ，１７Ｒは、図１０に例示するように配置される。即ち、束線１７Ｌは、内箱１４の左端側の上部から延びて熱絶縁部材２１Ｌの支持溝２２Ｌに上方から導入される。この場合、束線１７Ｌは、内箱１４のボックス部２２の左端面から熱絶縁部材２１Ｌ側に緩やかに曲がって、その曲がった直後から熱絶縁部材２１Ｌの支持溝２２Ｌに進入するように配線されている。そして、束線１７Ｌは、左側上部から右側下部に向かって下降傾斜する支持溝２２Ｌによって冷蔵庫１０の中央部側に向かって案内されて支持溝２２Ｌの下端部から導出される。そして、熱絶縁部材２１Ｌから導出された束線１７Ｌは、そのまま下方に延びて、冷蔵庫１０の中央部の後部の下部に設けられている図示しない機械室に到達する。また、束線１７Ｌには、必要に応じて、結露防止用のソフトテープＳＴが巻き付けられる。ソフトテープＳＴは、支持溝２２Ｌの外部において束線１７Ｌに巻き付けられる。
【００３３】
一方、束線１７Ｒは、内箱１４の右端側の上部から延びて熱絶縁部材２１Ｒの支持溝２２Ｒに上方から導入される。そして、束線１７Ｒは、冷蔵庫１０の上下方向に沿って直線状に延びる支持溝２２Ｒによって下方に案内されて支持溝２２Ｒの下端部から導出される。そして、熱絶縁部材２１Ｒから導出された束線１７Ｒは、そのまま下方に延びて、図示しない機械室に到達する。また、束線１７Ｒには、必要に応じて、結露防止用のソフトテープＳＴが巻き付けられる。ソフトテープＳＴは、支持溝２２Ｒの外部において束線１７Ｌに巻き付けられる。
【００３４】
本実施形態に係る冷蔵庫１０によれば、内箱１４の裏面、この場合、後面のボックス部２２と束線１７Ｌ，１７Ｒとの間に熱絶縁部材２１Ｌ，２１Ｒが設けられている。この構成によれば、図１０に例示するように、束線１７Ｌ，１７Ｒのうち熱絶縁部材２１Ｌ，２１Ｒが位置する部分おいては結露防止用のソフトテープＳＴを不要とすることができ、従来に比べ、ソフトテープＳＴの使用量を抑制することができる。よって、束線１７Ｌ，１７ＲにソフトテープＳＴを巻き付ける作業の負担を軽減することができ、また、使用するソフトテープＳＴの使用量を抑えて製造コストの低減を図ることができる。
【００３５】
また、冷蔵庫１０によれば、熱絶縁部材２１Ｌ，２１Ｒは、束線１７Ｌ，１７Ｒを支持するための支持溝２２Ｌ，２２Ｒを備えている。この構成によれば、熱絶縁部材２１Ｌ，２１Ｒにより結露の防止を図りつつ、束線１７Ｌ，１７Ｒを支持溝２２Ｌ，２２Ｒによって安定的に支持した状態で配置することができる。特に、本実施形態では、連続的に延びる溝状の支持溝２２Ｌ，２２Ｒによって束線１７Ｌ，１７Ｒを所定の長さにわたって支持することができ、一層安定的に束線１７Ｌ，１７Ｒを支持することができる。
【００３６】
また、冷蔵庫１０によれば、支持溝２２Ｌ，２２Ｒは、両端部に束線１７Ｌ，１７Ｒの径寸法よりも大きい幅寸法を有する拡大部２２Ｌａ，２２Ｌｂ，２２Ｒａ，２２Ｒｂを有する。この構成によれば、支持溝２２Ｌ，２２Ｒに束線１７Ｌ，１７Ｒを嵌め込みやすくすることができ、組立性の向上を図ることができる。また、支持溝２２Ｌ，２２Ｒに束線１７Ｌ，１７Ｒが嵌め込まれた状態においては、支持溝２２Ｌ，２２Ｒの端部が束線１７Ｌ，１７Ｒに与える機械的な負荷を軽減することができ、束線１７Ｌ，１７Ｒの損傷や破断などを防止することができる。
【００３７】
また、冷蔵庫１０によれば、熱絶縁部材２１Ｌ，２１Ｒは、支持溝２２Ｌ，２２Ｒに隣接する位置に平坦部３３，５３を有する。このような平坦部３３，５３を有する熱絶縁部材２１Ｌ，２１Ｒによれば、内箱１４のボックス部２２の裏面に対向する部分を十分に確保することができる。よって、内箱１４のボックス部２２の裏面に対する熱絶縁部材２１Ｌ，２１Ｒの接触面積を大きく確保することができ、熱絶縁部材２１Ｌ，２１Ｒを安定した状態で取り付けることができる。
【００３８】
また、冷蔵庫１０によれば、熱絶縁部材２１Ｌ，２１Ｒは、支持溝２２Ｌ，２２Ｒ以外の部分である平坦部３３，５３の面積が支持溝２２Ｌ，２２Ｒの面積よりも大きくなっている。即ち、熱絶縁部材２１Ｌ，２１Ｒの第１部分３１，５１の大部分を平坦部３３，５３として設けたことにより、内箱１４のボックス部２２の裏面に対向する部分を一層大きく確保することができ、熱絶縁部材２１Ｌ，２１Ｒを一層安定した状態で取り付けることができる。
【００３９】
また、冷蔵庫１０によれば、熱絶縁部材２１Ｌの支持溝２２Ｌは、当該熱絶縁部材２１Ｌの上端部と下端部との間において左側から右側に向かって下降傾斜している。この構成によれば、内箱１４の左端側の上部から延びて熱絶縁部材２１Ｌの上方から導入される束線１７Ｌを、図示しない機械室が設けられている冷蔵庫１０の中央部側に向けて案内することができ、束線１７Ｌを機械室に向けて円滑に導くことができる。
【００４０】
また、冷蔵庫１０によれば、熱絶縁部材２１Ｌ，２１Ｒは、内箱１４の裏面のうち、特に、冷凍温度帯に維持される冷凍室１２に対応する部分に備えられている。即ち、冷凍温度帯に維持されて結露が生じやすくなっている部分に熱絶縁部材２１Ｌ，２１Ｒを設けたので、束線１７Ｌ，１７Ｒにおける結露の発生を一層効果的に防止することができる。
【００４１】
また、冷蔵庫１０によれば、熱絶縁部材２１Ｌは、当該熱絶縁部材２１Ｌを貫通する貫通孔３４，３５を有する。この構成によれば、断熱材である発泡ウレタンを、貫通孔３４，３５を介して内箱１４のボックス部２２と熱絶縁部材２１Ｌとの間にも流入させることができ、断熱性の向上を図ることができる。また、内箱１４のボックス部２２と熱絶縁部材２１Ｌとの間に発泡ウレタンが流入することにより、この発泡ウレタンが接着剤としても機能するため、内箱１４のボックス部２２に熱絶縁部材２１Ｌを強固に固定することができる。また、冷蔵庫１０によれば、発泡ウレタンが流入しにくい熱絶縁部材２１Ｌの中央部においては、貫通孔３４よりも大きく開口する貫通孔３５を設けた。これにより、発泡ウレタンが流入しにくい熱絶縁部材２１Ｌの中央部にも、十分に発泡ウレタンを流入させることができる。
【００４２】
また、冷蔵庫１０によれば、熱絶縁部材２１Ｌ，２１Ｒは、当該熱絶縁部材２１Ｌ，２１Ｒを内箱１４のボックス部２２の裏面において位置決めする上下方向位置決め部３６，５６および左右方向位置決め部３７，５７を有する。この構成によれば、内箱１４のボックス部２２の裏面に取り付けられた熱絶縁部材２１Ｌ，２１Ｒの位置ずれを防止することができ、束線１７Ｌ，１７Ｒの所望の部位、この場合、冷凍室１２に対応する部位における結露の発生を一層確実に防止することができる。また、束線１７Ｌ，１７Ｒを所望の位置、この場合、内箱１４のボックス部２２の左右の角部において安定的に支持することができる。
【００４３】
また、冷蔵庫１０によれば、内箱１４の凹凸部２２ｃに熱絶縁部材２１Ｌの凹凸部３７ａが係合した状態において、内箱１４の凹凸部２２ｃと熱絶縁部材２１Ｌの凹凸部３７ａとが対向する部分の少なくとも一部に、発泡ウレタンが流通可能な隙間Ｇが形成されている。この構成によれば、この隙間Ｇに発泡ウレタンが流入することにより、断熱性の向上を図ることができ、また、内箱１４の裏面に対する熱絶縁部材２１Ｌの接着性の向上を図ることができる。特に、本実施形態では、この隙間Ｇ部分に貫通孔３４が設けられるようにしたので、この貫通孔３４を通して隙間Ｇに発泡ウレタンを流入しやすくすることができ、断熱性の一層の向上、および、熱絶縁部材２１Ｌの接着性の一層の向上を図ることができる。
【００４４】
また、冷蔵庫１０によれば、熱絶縁部材２１Ｌ，２１Ｒは、何れも、内箱１４のボックス部２２の左右の角部を覆う形状となっている。この構成によれば、内箱１４のボックス部２２に対し熱絶縁部材２１Ｌ，２１Ｒを取り付けやすくすることができる。また、内箱１４のボックス部２２に対し熱絶縁部材２１Ｌ，２１Ｒを安定した状態で取り付けることができる。
【００４５】
また、図１１に例示するように、例えば、支持溝を有しない熱絶縁部材を設けた構成では、二点鎖線で示すように、熱絶縁部材２１Ｌ，２１Ｒの一端側において、曲げられて配置される束線１７Ｌ，１７Ｒの寸法Ｄ１が長くなってしまう。本実施形態に係る冷蔵庫１０によれば、熱絶縁部材２１Ｌ，２１Ｒに設けた支持溝２２Ｌ，２２Ｒに束線１７Ｌ，１７Ｒを嵌め込むようにした。そのため、熱絶縁部材２１Ｌ，２１Ｒの一端側において、曲げられて配置される束線１７Ｌ，１７Ｒの寸法Ｄ２を短くすることができ、束線１７Ｌ，１７Ｒの短縮を図ることができる。
【００４６】
なお、本実施形態は、上述した一実施形態に限られるものではなく、その要旨を逸脱しない範囲で種々の変形や拡張をすることが可能である。例えば、熱絶縁部材２１Ｌ，２１Ｒは、冷凍温度帯に維持される冷凍室１２以外の貯蔵室、例えば、冷凍温度帯に維持される小冷凍室、製氷室、冷蔵温度帯に維持される冷蔵室、野菜室、チルド室などに対応する部分に設けてもよい。
【００４７】
また、図１２に例示するように、冷蔵庫１０は、束線１７Ｌ，１７Ｒを支持する支持溝２２Ｌ，２２Ｒを覆うカバー部材６１Ｌ，６１Ｒをさらに備える構成としてもよい。この構成によれば、支持溝２２Ｌ，２２Ｒに支持されている束線１７Ｌ，１７Ｒがさらにカバー部材６１Ｌ，６１Ｒによっても囲まれた状態となり、束線１７Ｌ，１７Ｒの周辺の気密性を向上させて、結露の発生を一層抑制することができる。また、支持溝２２Ｌ，２２Ｒから束線１７Ｌ，１７Ｒが外れてしまうことを防止することができ、束線１７Ｌ，１７Ｒを一層安定した状態で支持することができる。
【００４８】
なお、カバー部材６１Ｌ，６１Ｒは、例えば、シート状の紙テープなどにより構成される。本実施形態に係る冷蔵庫１０によれば、熱絶縁部材２１Ｌ，２１Ｒは、支持溝２２Ｌ，２２Ｒに隣接して平坦部３３，５３を設けている。そのため、このような平坦部３３，５３には、シート状の紙テープを貼りやすく、従って、支持溝２２Ｌ，２２Ｒに支持されている束線１７Ｌ，１７Ｒがカバー部材６１Ｌ，６１Ｒによって覆われた状態を形成しやすくすることができる。
【００４９】
また、図１３に例示するように、支持溝２２Ｌ，２２Ｒは、その延伸方向に直交する方向にも拡大部２２Ｌｃ，２２Ｒｃを設けることにより、支持溝２２Ｌ，２２Ｒに束線１７Ｌ，１７Ｒを一層嵌め込みやすくすることができ、また、束線１７Ｌ，１７Ｒに与えられる機械的な負荷を一層軽減することができる。
【００５０】
また、図１４に例示するように、支持溝２２Ｌ，２２Ｒの拡大部２２Ｌｂ，２２Ｒｂは、その傾斜角度を多段階、例えば、２段階で異ならせるように構成してもよい。この構成によれば、支持溝２２Ｌ，２２Ｒに束線１７Ｌ，１７Ｒを一層嵌め込みやすくすることができ、また、束線１７Ｌ，１７Ｒに与えられる機械的な負荷を一層軽減することができる。なお、図示はしないが、支持溝２２Ｌ，２２Ｒの拡大部２２Ｌａ，２２Ｒａも、その傾斜角度を多段階で異ならせるように構成してもよい。
【００５１】
冷蔵庫１０は、例えば熱絶縁部材２１Ｌ，２１Ｒを一体的に設けて、この１つの熱絶縁部材により複数の束線１７Ｌ，１７Ｒを支持する構成としてもよい。また、熱絶縁部材に設ける支持溝は、直線状に延びるものに限られず、例えば、その一部あるいは全部が屈曲していたり、蛇行していたりしてもよい。また、支持溝の形状は、熱絶縁部材２１Ｌ，２１Ｒを備えない従来の冷蔵庫における束線１７Ｌ，１７Ｒの配線形状に沿った形状としてもよいし、従来とは異なる配線形状、例えば、束線１７Ｌ，１７Ｒを従来に比べ一層短くできる形状、束線１７Ｌ，１７Ｒを従来に比べ機械室に到達させやすくできる形状など、支持溝の形状に創意工夫を施すようにしてもよい。また、支持部は、連続的に延びる溝状の構成に限られず、例えば、束線１７Ｌ，２１Ｒを部分的に支持するように断続的に設けてもよい。
【００５２】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００５３】
図面中、１０は冷蔵庫、１１は断熱箱体、１２は冷凍室、１４は内箱、１７Ｌ，１７Ｒは束線（線状部材）、２１Ｌ，２１Ｒは熱絶縁部材、２２Ｌ，２２Ｒは支持溝（支持部）、２２Ｌａ，２２Ｌｂ，２２Ｒａ，２２Ｒｂは拡大部、２２ｃは内箱の凹凸部、３３，５３は平坦部、３４，３５は貫通孔、３６，５６は上下方向位置決め部（位置決め部）、３７，５７は左右方向位置決め部（位置決め部）、３７ａは熱絶縁部材の凹凸部、６１Ｌ，６１Ｒはカバー部材を示す。
【図１】
2019211128.tif 000003
【図２】
2019211128.tif 000004
【図３】
2019211128.tif 000005
【図４】
2019211128.tif 000006
【図５】
2019211128.tif 000007
【図６】
2019211128.tif 000008
【図７】
2019211128.tif 000009
【図８】
2019211128.tif 000010
【図９】
2019211128.tif 000011
【図１０】
2019211128.tif 000012
【図１１】
2019211128.tif 000013
【図１２】
2019211128.tif 000014
【図１３】
2019211128.tif 000015
【図１４】
2019211128.tif 000016